(57)【要約】  ドレン排水確認を容易に行うことができる空気調和機の室内機を提供する。空気調和機の室内機は、上面に吸入口が設けられ、下部に吹出口が設けられ、内部に風路が形成され、背面側が室内壁面に固定されるケーシングと、風路に設けられた軸流ファンと、風路において軸流ファンの下流に設けられた室内熱交換器と、室内熱交換器の下端を下側から覆うドレンパンと、風路のケーシング前面側を構成する前面風路パネルと、を備え、前面風路パネルは、室内熱交換器より上流に水注入窓が開口されている。
2017026012.tif 000002
【特許請求の範囲】
【請求項１】
上面に吸入口が設けられ、下部に吹出口が設けられ、内部に風路が形成され、背面側が室内壁面に固定されるケーシングと、
前記風路に設けられた軸流ファンと、
前記風路において該軸流ファンの下流に設けられた室内熱交換器と、
該室内熱交換器の下端を下側から覆うドレンパンと、
前記風路のケーシング前面側を構成する前面風路パネルと、を備え、
該前面風路パネルは、
前記室内熱交換器より上流に水注入窓が開口されている、空気調和機の室内機。
【請求項２】
前記室内熱交換器は、
前記ケーシングの左右方向に重ねられた複数のフィンと、該フィンを貫通する伝熱管を有する少なくとも１つ以上の熱交換器を備え、
該熱交換器のうち、前記風路内において前記ケーシング前面側に配置されている前側熱交換器は、
前記ケーシングの前面側から背面側へ向かい下がる方向に傾斜して配置され、
前記水注入窓は、
前記前側熱交換器の上側端部より上側に配置されている、請求項１に記載の空気調和機の室内機。
【請求項３】
前記室内熱交換器は、
前記ケーシングの左右方向に重ねられた複数のフィンと、該フィンを貫通する伝熱管を有する少なくとも１つ以上の熱交換器を備え、
該熱交換器のうち、前記風路内において前記ケーシング前面側に配置されている前側熱交換器は、
前記ケーシングの前面側から背面側へ向かい上がる方向に傾斜して配置され、
前記水注入窓は、
前記前側熱交換器の下側端部より上側に配置されている、請求項１に記載の空気調和機の室内機。
【請求項４】
前記軸流ファンは、
前記ケーシングの上部に配置され、
前記水注入窓は、
前記ケーシングの上下方向における位置が前記軸流ファンと並列になるように配置され、
前記ケーシングの上側から見たときに前記軸流ファンと重ならない位置に配置される、請求項１〜３の何れか１項に記載の空気調和機の室内機。
【請求項５】
前記水注入窓は、
開口部下側の縁が前記風路に突出し、
該縁の先端は、
前記室内熱交換器の上側に配置されている、請求項１〜４の何れか１項に記載の空気調和機の室内機。
【請求項６】
前記水注入窓は、
開閉可能な窓開閉蓋を備える、請求項１〜５の何れか１項に記載の空気調和機の室内機。
【請求項７】
前記窓開閉蓋は、
回転軸を有し、
該回転軸の回りに当該窓開閉蓋を回転させて開けた状態において、当該窓開閉蓋の一方の端が前記ケーシングの前面側に突出し、当該窓開閉蓋の他方の端が前記風路へ突出し、前記ケーシングの前面から前記ケーシング内部側に向かって下がる勾配となる、請求項６に記載の空気調和機の室内機。
【請求項８】
前記窓開閉蓋は、
当該窓開閉蓋を閉じた状態において前記ケーシング前面側となる位置に設けられたつまみ部と、
当該窓開閉蓋を閉じた状態において前記ケーシング内部側となる位置に設けられ、当該窓開閉蓋の上側及び左右両側の３方向の縁から前記風路側へ突出する壁と、を備える、請求項７に記載の空気調和機の室内機。
【請求項９】
前記前面風路パネルは、
前記風路を形成する風路壁と、
該風路壁に接し、前記風路と外部の断熱をする断熱材と、を備える、
請求項１〜８の何れか１項に記載の空気調和機の室内機。
【請求項１０】
前記室内熱交換器は、
前記ケーシングの左右方向の垂直断面において、前記熱交換器がＷ形状に並べられている、請求項２に記載の空気調和機の室内機。
【請求項１１】
前記室内熱交換器は、
前記ケーシングの左右方向の垂直断面において、前記熱交換器がＶ形状に並べられている、請求項２に記載の空気調和機の室内機。
【請求項１２】
前記室内熱交換器は、
前記ケーシングの左右方向の垂直断面において、前記熱交換器が上下逆転したＶ形状に並べられている、請求項３に記載の空気調和機の室内機。
【請求項１３】
前記室内熱交換器は、
前記ケーシングの左右方向の垂直断面において、前記熱交換器がＭ形状に並べられている、請求項３に記載の空気調和機の室内機。
【発明の詳細な説明】
【技術分野】
【０００１】
本発明は、空気調和機の室内機に関し、据付工事の際のドレンパン排水確認のための水注入窓に関する。
【背景技術】
【０００２】
室内壁面に据え付ける壁掛け型の空気調和機の室内機では、室内機の内部に室内熱交換器を有している。この室内熱交換器は、室内の空気と熱交換を行う。室内熱交換器が空気を冷却する際に、空気中の水分は、室内熱交換器の表面で凝縮し、室内熱交換器に水滴が付着する。室内熱交換器の下側にドレンパンが配置されており、室内熱交換器についた水滴は、室内熱交換器を構成する複数のフィンの隙間を伝わりながら下部に移動し、ドレンパンに滴下され捕集された後、ドレンパンに備えられている排水管（ドレンホース）を通り室外に排出される。据付工事の際は、室内機の設置時の傾きやドレンパンを構成する部品の破損等により、ドレンパンに溜まった水が正しく排出されず室内機内に漏れてしまっていないかを確認するために、ドレンパンに直接水を注いで排水確認を行う。（たとえば、特許文献１参照）
【先行技術文献】
【特許文献】
【０００３】
【特許文献１】特開平５−１４１６８５号公報
【発明の概要】
【発明が解決しようとする課題】
【０００４】
従来の空気調和機の室内機では、室内熱交換器の下流側にクロスフローファンを備えており、クロスフローファンが作動すると室内機の上部の吸入口から室内の空気を吸い込む。吸入口から室内機内に入った空気は、室内熱交換器を通過し熱交換された後、クロスフローファンにより吹出口から室内に吹き出される。このような構成の室内機は、室内熱交換器の上流側にある空気を、室内熱交換器の下流側にあるクロスフローファンにより引き込む構成となっている。そのため、室内熱交換器の上流側の風路は、空気を引き込めれば、構造的に隙間があっても室内機の性能に大きく影響しない。よって、従来構成の空気調和機の室内機においては、据え付け時のドレン排水確認を行う際に、室内機の前面側のパネルを開けて、ドレンパン又は室内熱交換器を大きく露出させて、ドレンパンまたは室内熱交換器に直接水を注ぎドレン排水確認を行っていた。【０００５】
また、特許文献１に開示されているドレンテスト装置は、室内熱交換器の冷媒を通すための配管に引っかけることできる。そして、ドレンテスト装置に直接水を注ぎドレン排水確認を行っている。ドレンテスト装置を使用するためには、室内機の前面を大きく開け、ドレンテスト装置を室内熱交換器に設置する必要があった。【０００６】
一方、室内機の送風ファンとして軸流ファンが使用され、風路内において軸流ファンの下流側に室内熱交換器が配置される構成の室内機においては、軸流ファンから室内熱交換器に空気を押し込む構成となっている。このため、軸流ファンから室内熱交換器までの風路に隙間があると、軸流ファンにより室内熱交換器側に押し込まれた空気が、室内熱交換器を通過する前に隙間から漏れ出てしまう。また、室内熱交換器から吹出口までの風路に隙間があると、室内熱交換器を通過した後の調和空気が、吹出口以外へ漏れ出たりする。そのため、風路を構成する壁等の部品は、隙間を無くすように構成されており、室内機の据え付け時に容易に着脱できる構成にはされていない。つまり、軸流ファンを備えた室内機においては、据え付け作業時に熱交換機を大きく露出させることができない室内機の構成になっており、特許文献１のようなドレンテスト装置を用いたドレン排水確認を行うことはできないという課題があった。【０００７】
この発明は、上記のような課題を解決するためになされたものであり、熱交換器の上流側に軸流ファンを備えた空気調和機の室内機であっても、室内機据え付け時のドレン排水確認を容易に行える空気調和機の室内機を提供することを目的とする。
【課題を解決するための手段】
【０００８】
本発明に係る空気調和機の室内機は、上面に吸入口が設けられ、下部に吹出口が設けられ、内部に風路が形成され、背面側が室内壁面に固定されるケーシングと、前記風路に設けられた軸流ファンと、前記風路において該軸流ファンの下流に設けられた室内熱交換器と、該室内熱交換器の下端を下側から覆うドレンパンと、前記風路のケーシング前面側を構成する前面風路パネルと、を備え、該前面風路パネルは、前記室内熱交換器より上流に水注入窓が開口されている。
【発明の効果】
【０００９】
本発明に係る空気調和機の室内機によれば、熱交換器の上流側に軸流ファンを備えた空気調和機の室内機において、風路のケーシング前面側を構成する風路壁に設置された水注入窓から水を注入し、ドレン排水確認を容易に行うことができるものである。
【図面の簡単な説明】
【００１０】
【図１】本発明の実施の形態１に係る空気調和機の室内機の全体の外観を示す図である。
【図２】図１の室内機の分解斜視図を示す。
【図３】図１の室内機の断面Ａ−Ａを示した図である。
【図４】図１の空気調和機の室内機の前面パネルを分解した斜視図である。
【図５】図１の空気調和機の室内機を上面から見た図である。
【図６】図５の空気調和機の室内機の断面Ｂ−Ｂを示す図である。
【図７】図１の室内機の前面の意匠パネルを外した状態の図である。
【図８】図７のＣ部の拡大図である。
【図９】図６の注入窓周辺の構造の拡大図である。
【図１０】図７の窓開閉蓋を開けた状態の図である。
【図１１】図１の室内熱交換器が２つの熱交換器で構成され、逆Ｖ字形状に連結されている場合の図である。
【図１２】図１の室内熱交換器がＭ字形状に連結されている場合の図である。
【発明を実施するための形態】
【００１１】
以下、図面に基づいて本発明の実施の形態について説明する。各図において、同一の符号を付した機器等については、同一の又はこれに相当する機器を表すものであって、これは明細書の全文において共通している。また、明細書全文に表れている構成要素の形態は、あくまで例示であって、本発明は明細書内の記載のみに限定されるものではない。特に構成要素の組み合わせは、各実施の形態における組み合わせのみに限定するものではなく、他の実施の形態に記載した構成要素を別の実施の形態に適用することができる。さらに、添字で区別等している複数の同種の機器等について、特に区別したり、特定したりする必要がない場合には、添字を省略して記載する場合がある。また、図面では各構成部材の大きさの関係が実際のものとは異なる場合がある。
【００１２】
実施の形態１．
（室内機１００の構造）
図１は、本発明の実施の形態１に係る空気調和機の室内機１００の全体の外観を示す図である。図２は、図１の室内機１００の分解斜視図を示す。図３は、図１の室内機１００の断面Ａ−Ａを示した図である。前面パネル６０側を室内機１００の前側、台枠２０側を室内機１００の後側（背面側）とし、ファンユニット３０が配置してある側を上側、吹出口４０がある側を下側とする。
【００１３】
室内機１００は、後側の外観となる台枠２０と、前面側の外観となる前面パネル６０と、左右の側面の外観となる左側面パネル６６及び右側面パネル６７とを備える。なお、台枠２０、前面パネル６０のうち外観面側に位置する意匠パネル６１、左側面パネル６６、及び右側面パネル６７をあわせたものが、本発明の「ケーシング」に相当する。室内機１００の上面側には、２つの軸流ファン３１が室内機１００の長手方向に並列に配置されたファンユニット３０が配置されている。ファンユニット３０の開口部分が室内機１００の吸入口３４となっている。室内機１００の内部に形成された風路は、室内機１００の後ろ側は台枠２０と、室内機１００の前側は前面パネル６０のうちの最も内部側の部材である風路壁６５とにより形成されている。軸流ファン３１の下側であり風路の下流に室内熱交換器１０が配置されている。室内熱交換器１０の下側には、ドレンパンユニット５０があり、ドレンパン５１ａ及びドレンパン５１ｂが配置されている。ドレンパン５１の下側に吹出口４０〜４２が設けられている。また、室内熱交換器１０の長手方向の端部には電気部品箱７０が配置されている。電気部品箱７０は、右側面パネル６７に覆われており、外部からは見えないようになっている。
【００１４】
（ファンユニット３０）
軸流ファン３１は、室内機１００の上面に設けられた吸入口３４の下側に設けられている。実施の形態１の室内機１００は、２つの軸流ファン３１がケーシング左右方向に沿って並列に配置されている。また、２つの軸流ファン３１は、１つのまとまったユニットとして室内機１００に取り付けられるものであり、ファンユニット３０を構成している。ファンユニット３０の内部は、それぞれの軸流ファン３１の周囲を囲うベルマウス３５が形成されている。軸流ファン３１は、中央部にファンモーター３３を備え、ファンモーター３３にプロペラ３２が取り付けられている構成になっている。なお、軸流ファン３１は、回転軸の平行方向に空気を送るものであれば、プロペラ３２の形状が異っても良く、例えば斜流ファンを用いても良い。また、軸流ファン３１の設置数は一例であり、室内機１００に要求される風量により適宜決定すれば良い。
【００１５】
（室内熱交換器１０）
図３に示されるように、実施の形態１の室内熱交換器１０は、熱交換器１３ａ、熱交換器１３ｂ、熱交換器１３ｃ、熱交換器１３ｄの４つから構成されている。熱交換器１３ａ〜１３ｄは、室内機１００の左右方向に垂直な断面において、Ｗ形に並べられている。ただし、室内熱交換器１０の断面形状は、Ｗ形に限られない。例えば、Ｖ形、逆Ｖ形、Ｍ形などであっても良い。室内熱交換器１０の断面形状をＶ形にした場合は、Ｗ形と同じく、ケーシング前面側に配置されている熱交換器１３ａが、前から後ろに向かって傾斜されて配置されており、熱交換器１３ａの上端が水注入窓８０の近くに配置されることになる。各熱交換器１３は、複数のフィン１１が室内機１００の左右方向に積み重なっており、そのフィン１１を貫通して伝熱管１２が通っている。伝熱管１２は、端部で折り返されることにより、同一断面においては複数の伝熱管１２がフィン１１を貫通している。また、実施の形態１においては、４つの熱交換器１３ａ〜１３ｄから室内熱交換器１０が構成されているが、各熱交換器は、分離されていても一体となっていても良い。
【００１６】
室内熱交換器１０には、仕切板１６ａ〜１６ｃが備えられている。仕切板１６ａ及び仕切板１６ｂは、室内熱交換器１０の長手方向の両端、すなわちケーシング左右方向の端部に設けられている。仕切板１６ａと仕切板１６ｂとは、室内機１００の内部の風路を構成する部品であり、室内熱交換器１０の端部からの空気が漏れ出すのを防止している。また、中央部の仕切板１６ｂは、２つの軸流ファン３１の間に位置し、軸流ファン３１がそれぞれ生じさせている気流を独立させるものである。
【００１７】
（ドレンパンユニット５０）
図３に示されるように、室内熱交換器１０の下にドレンパン５１ａ及びドレンパン５１ｂが配置されている。ドレンパン５１ａは、室内熱交換器１０の熱交換器１３ａと熱交換器１３ｂの端部が向かい合っている頂点部分を下側から覆うように配置されている。ドレンパン５１ｂは、室内熱交換器１０の熱交換器１３ｃと熱交換器１３ｄの端部が向かい合っている頂点部分を下側から覆うように配置されている。室内熱交換器１０は冷房運転時に空気を冷却するが、その際に空気中の水分が凝集しフィン１１に付着する。フィン１１に付着した結露水は、フィン１１の隙間を伝って室内熱交換器１０の下側へ移動し、ドレンパン５１ａ及びドレンパン５１ｂの上に落ちる。ドレンパン５１は、室内機１００の左右方向に勾配がつけられており、ドレンパン５１上に落ちた結露水は、ドレンパン５１の勾配方向に流れ、ドレンパン５１に接続されている図示されていない排水管から室内機１００の外へ排出される。なお、ドレンパン５１ａ及びドレンパン５１ｂは接続されており、どちらに落ちた結露水も合流し、排水管から排出される。
【００１８】
ドレンパン５１には室内機１００の左右方向に勾配がつけられているが、その角度は、例えば２°といった小さい角度である。よって、室内機１００を室内壁面に取り付ける際に室内機１００が左右方向に傾いて取り付けられると、ドレンパン５１に溜まった結露水が、排水管が配置されている方向に流れていかず、排出されない。ドレンパン５１上の結露水が排出されない場合は、ドレンパン５１上に結露水が溜まりやすくなり、結露水が長時間溜まることに伴う異臭の発生、又はドレンパン５１から室内機１００の内部に結露水が溢れ出てしまうという課題があった。そこで、ドレンパン５１から適正に結露水が排出されているかどうかを確認するために、室内機１００の据え付け時にドレンパン５１に水を入れて、排出管から水が排出されているかの確認が行われている。しかし、実施の形態１に置ける室内機１００においては極力風路に隙間が無いように構成されているため、ドレンパン５１に直接水を注入したり、室内熱交換器１０を露出させてそこに水を直接滴下してドレンパン５１へ水を送るということが困難な構造になっている。そこで、実施の形態１の室内機１００においては、後述するように、水注入窓８０を設け、そこから水を注入することによりドレンパン５１へ水を送るように構成されている。
【００１９】
（前面パネル６０の構成）
図４は、図１の空気調和機の室内機１００の前面パネル６０を分解した斜視図である。図４に示されるように、室内機１００の前面パネル６０は、意匠パネル６１と前面風路パネル６２との２つの部分から構成される。前面風路パネル６２は、内部パネル６３、断熱材６４、風路壁６５の３つから構成される。風路壁６５は、室内機１００の内部に設置されている室内熱交換器１０に対面しており、熱交換された冷気及び暖気が接する。特に風路壁６５の内部側の壁に冷気が接すると、風路壁６５は冷やされ、外気が接する側は結露が生じ易い。また、隣接する内部パネル６３及び意匠パネル６１も併せて冷やされることになり結露が生じ易くなる。よって、風路壁６５の前面側には断熱材６４が配置される。又は、断熱材６４は、風路壁６５に接着などの手段により固定されても良い。これにより、風路側と外部とが断熱され、意匠パネル６１、内部パネル６３、風路壁６５の外側面に水滴が付着するのを防止することができる。なお、実施の形態１において、前面風路パネル６２は、３つのパネルから構成されているが、これに限られない。例えば、実施の形態１において内部パネル６３は、周辺の構造を支え、固定する。例えば、実施の形態１においては、前面風路パネル６２は、左側面パネル６６及び右側面パネル６７を固定する等の構造を支える機能を有するものであるが、その機能を風路壁６５に持たせることにより省略することも可能である。ただし、風路壁６５は、室内機１００の内部の室内熱交換器１０から吹出口４０〜４２までの風路から、熱交換された冷気又は暖気が漏れ出ないようにするためのものであり、空気が漏れ出ないように隙間をシールするなどして構成される。
【００２０】
また、意匠パネル６１は製品の外観を構成するものであるため、構造部品としての強度及び剛性などの機能だけでなく、外観面を美麗に仕上げてあり、内部の構造を覆う必要がある。前面パネル６０は、意匠パネル６１と前面風路パネル６２とからなるが、周辺部品の構造などに応じ適宜枚数及び構造を決定すればよい。
【００２１】
（水注入窓８０の配置）
図５は、図１の空気調和機の室内機１００を上面から見た図である。図６は、図５の空気調和機の室内機１００の断面Ｂ−Ｂを示す図である。断面Ｂ−Ｂは、室内機１００の左右方向に垂直な断面であり、軸流ファン３１の回転中心を通り、かつ水注入窓８０の中心を通る断面である。軸流ファン３１の周囲にはベルマウス３５が形成され、吸入口３４から入った空気の流れを整える。図４に示されるように、空気調和機の室内機１００を上面から見て、室内機１００の前後方向に延びるベルマウス３５の円形の開口の中心線から左方向に外れた位置で、かつ室内機１００の前面側に水注入窓８０は設けられている。つまり、図４に示されている室内機１００の上面図において、四角形の室内機１００に対して、吸入口３４及びベルマウス３５は円形に設けられているが、その四角形の角の周辺であってベルマウス３５の外側のスペースに水注入窓８０が設けられている。このように配置することにより、軸流ファン３１及び水注入窓８０の室内機１００の上下方向の位置を合わせて配置することができる。もし、軸流ファン３１の下側に水注入窓８０を設けた場合、室内熱交換器１０の前側熱交換器１３ａの上端を水注入窓８０の下に配置する必要があるため、その分だけファンユニット３０と室内熱交換器１０との高さ方向の距離を離さなければならない。ドレンパン５１の排水確認をする際に、水注入窓８０から前側熱交換器１３ａの上端に向かって水を滴下する構成が必要があるためである。上記のように、実施の形態１の水注入窓８０の配置にすることにより、軸流ファン３１と室内熱交換器１０との室内機１００の上下方向位置を近づけて配置することができる。
【００２２】
水注入窓８０は、空気調和機の室内機１００の前面側に配置されている。これは、室内に設置された時に、左側面及び右側面に水注入窓８０が配置された場合は、設置される環境により室内の壁が障害となり水注入作業ができない可能性があり、また上面に水注入窓８０が配置された場合は、天井が障害となり水注入作業ができない可能性があるためである。また、実施の形態１の室内機１００は、右側面に電気部品箱７０が配置されているため、右側面側に水注入窓８０を設置することは困難である。
【００２３】
水注入窓８０は、室内機１００の高さ方向（上下方向）の位置において軸流ファン３１と同じ高さに配置されており、室内熱交換器１０の上流側に位置する。水注入窓８０には、窓開閉蓋８１が取り付けられているが、厳密には隙間がある。しかし、水注入窓８０から空気が漏れるとしても熱交換前の空気であるため、空気調和機の性能には大きな影響は無い。実施の形態１の室内機１００において、水注入窓８０は、軸流ファン３１と同じ高さに並列に配置されていることから、軸流ファン３１から吹き出される空気が直接水注入窓８０側に流れることは無く、空気の漏出も少ない構造になっている。なお、実施の形態１においては、水注入窓８０は、軸流ファン３１と同じ高さ位置に設けられているが、室内熱交換器１０の形状によっては軸流ファン３１よりも下側に設けても良い。ただし、その場合でも水注入窓８０は室内熱交換器１０よりも上流側である必要がある。これについては実施の形態２で述べる。
【００２４】
（水注入窓８０及び窓開閉蓋８１の構造）
図４に示されるように、室内機１００の前面側に向かって左上側に水注入窓８０が設けられている。これは、風路壁６５に開口が設けられており、開口された水注入窓８０に開閉可能な窓開閉蓋８１が取り付けられている。また、風路壁６５の前面側にある内部パネルにも風路壁６５に設けられた水注入窓８０に合わせて開口されている。また、室内機１００の上下方向における水注入窓８０の位置については、図６に示されるように、水注入窓８０は、室内熱交換器１０の前側の熱交換器１３ａの上端部より上に配置するように設けられている。
【００２５】
図７は、図１の室内機１００の前面の意匠パネル６１を外した状態の図である。図８は、図７のＣ部の拡大図である。図９は、図６の水注入窓８０周辺の構造の拡大図である。図１０は、図７の窓開閉蓋８１を開けた状態の図である。水注入窓８０には、窓開閉蓋８１が回転軸８２の回りに回転可能に取り付けられている。図７に示されるように、窓開閉蓋８１が開けられている状態で、窓開閉蓋８１の室内機１００前面側及び左右側の３方の縁には壁８４が設けられている。これにより、窓開閉蓋８１が開いている状態で、壁８４ａ〜８４ｃで囲まれた内側に水を滴下すれば、左右、又は前面側に滴下した水がこぼれるのを防止でき、作業性が向上する。
【００２６】
また、窓開閉蓋８１の室内機１００前面側の縁に窓開閉蓋８１が閉じた状態を保持するための爪８５が設けられている。爪８５は、水注入窓８０の上側の一辺の一部に設けられている突起６９に引っ掛かり、窓開閉蓋８１を閉じた状態に固定する。爪８５は、振動やユーザーが触れることにより容易に開くことを防止するために、容易に変形しないようにされている。据え付け作業時にドレンパン５１からの排水確認をするために窓を開閉するときには、図９に示すように窓開閉蓋８１の爪８５と水注入窓８０の枠の上側面との間に例えば棒状の工具９０を図中の矢印方向に差し込み、爪８５を図７の下側に弾性変形させて係止を外す。このようにすることで、窓開閉蓋８１が容易に開かないように爪８５を硬く設計した場合であっても、据え付け作業者は身近な工具９０を用いて窓開閉蓋８１を開けることができる。
【００２７】
窓開閉蓋８１の室内機１００の前面側には突起８３が設けられている。図１０に示されるように、窓開閉蓋８１が開けられた状態において、突起８３は、水注入窓８０の枠の下側面に当接する。突起８３が当接することにより、窓開閉蓋８１は、室内機１００の前面側から室内機１００の内部側に向かって下るように勾配がついた状態が維持される。なお、突起８３は、窓開閉蓋８１側に設けられていなくとも良く、水注入窓８０の枠と窓開閉蓋８１の面とを当接させても良い。また、水注入窓８０側に突起を設けて窓開閉蓋８１の面と当接させても良い。また、窓開閉蓋８１の室内機１００の前面側にはつまみ部８６が設けられ、窓開閉蓋８１を開けるときに作業者がつまめるようになっており作業性を向上させている。
【００２８】
水注入窓８０の枠の室内機１００の内部側は、下側の縁６８が伸びており、熱交換器１３ａの上部まで縁６８の先端が届くようになっている。水注入窓８０から注入された水が、縁６８を伝わって熱交換器１３ａの上端に滴下され、熱交換器１３ａのフィン１１の隙間を水の表面張力により伝わってドレンパン５１に滴下させるためである。
【００２９】
窓開閉蓋８１は、回転軸８２の回りに回転可能な構造になっており、風路壁６５に設けられた水注入窓８０に取り付けられている。窓開閉蓋８１は、閉じられた状態における回転軸８２から上端、すなわち壁８４ａが備えられている縁までの長さをできる限り長くとることにより、開けた時に室内機１００の前面側に突出する量を大きくできる。これにより、水注入窓８０から注水するときの作業性が向上する。また、窓開閉蓋８１は、閉じられた状態における回転軸８２から下端までの長さをできる限り長くとることにより、開けた時に室内機１００の内部に突出する量を大きくできる。これにより、水注入窓８０から注入された水が、より室内機１００の風路の内部まで届くようにできる。ただし、前述のように水注入窓８０の下側の縁６８が、内部に長く伸びているのであれば、窓開閉蓋８１の回転軸８２から下端までは長くなくともよく、縁６８の上に届く程度でよい。なお、窓開閉蓋８１は、回転による開閉構造で無くとも良い。ドレンパン５１の排水確認のために水を注ぐのが容易であり、水をドレンパン５１に導くことができれば、窓開閉蓋８１は、例えば、室内機１００の前面側に引き出される構造の蓋であっても良く、水注入窓８０から取り外しできる蓋でも良い。
【００３０】
（室内機１００の空気の流れ）
図３を用いて、実施の形態１に係る空気調和機の室内機１００の空気の流れについて説明する。室内機１００の上面には吸入口３４があり、室内の空気は軸流ファン３１によって吸入口３４より吸い込まれ、室内熱交換器１０側へ送られる。送られた空気は、室内熱交換器１０のフィン１１の間を通過し、伝熱管１２の内部を通る冷媒と熱交換する冷気又は暖気になる。
【００３１】
室内熱交換器１０の下側には、ドレンパン５１ａ及びドレンパン５１ｂが形成されており、室内熱交換器１０の後述するＷ形状の熱交換器１３の下部の端部周辺を下側から覆っている。風路壁６５とドレンパン５１ａとの間、ドレンパン５１ａとドレンパン５１ｂとの間、ドレンパン５１ｂと台枠２０との間は、それぞれ風路となっている。室内熱交換器１０において熱交換された空気は、ドレンパンユニット５０の風路を通り、吹出口４０〜４２より室内へ送風される。
【００３２】
実施の形態１に係る空気調和機の室内機１００の風路は、上流側にファンユニット３０が配置され、ファンユニット３０の下流に室内熱交換器１０が配置されている。室内熱交換器１０の上流側とは、室内機１００の内部であって、室内熱交換器１０を通過していない空気が流れる部分を意味する。吸入口３４から吸い込まれた空気は、軸流ファン３１を通過した後に下流にある室内熱交換器１０に押し込まれ、確実に熱交換が行われるようにする必要がある。よって、ファンユニット３０から室内熱交換器１０までの風路は、できる限り風路外に漏出しないようにされている。また、室内熱交換器１０において熱交換された調和空気は、室内機１００に設けられた吹出口４０〜４２から吹き出させる必要がある。よって、室内熱交換器１０から吹出口４０〜４２までの風路もできる限り風路外に漏出しないようにされている。例えば、室内機１００の風路は、前側に風路壁６５、後側に台枠２０、室内機１００の左右方向の側面においては仕切板１６ａ及び仕切板１６ｂを配置して構成され、風路壁６５、台枠２０、仕切板１６ａ、仕切板１６ｂの間をシールすることにより、軸流ファン３１から室内熱交換器１０までの風路及び室内熱交換器１０から吹出口４０〜４２までの間の風路に隙間を生じさせないようにしている。ただし、厳密に隙間を無くす必要は無く、室内機１００の内部風路の形状や風路に配置される部材などに応じて空気調和機の性能を確保できるのであれば隙間を許容しても良い。
【００３３】
また、室内熱交換器１０と風路壁６５、台枠２０、仕切板１６ａ、及び仕切板１６ｂとの間は、空気が通らない構成になっているのが望ましい。ただし、室内熱交換器１０と風路壁６５及び台枠２０との間の隙間が小さくされていたり、又は隙間に弾性部材１５等を入れる等の空気が通りにくい構成になっていても良い。このように構成することにより、軸流ファン３１により室内熱交換器１０側へ送り込まれた空気が室内熱交換器１０のフィン１１の間を通過し、確実に熱交換されるようにすることができる。なお、図３に示されるように実施の形態１においては、室内熱交換器１０と風路壁６５の間に弾性部材を備えており、台枠２０側は、室内熱交換器１０の端部の形状に合わせて凹み形状が設けられている。弾性部材１５は、ゴム、スポンジ、弾性のある接着材等を適宜選択すれば良い。
【００３４】
（ドレンパン５１の排水確認作業）
ここで、室内機１００を設置する際にドレンパン５１が正常に設置されているかどうかを確認する作業について説明する。まず、室内の壁面に設置された図１の室内機１００の前面にある意匠パネル６１を外し、前面風路パネル６２が露出する状態にする。前面風路パネル６２が露出すると、水注入窓８０も露出するため、水注入窓８０に設置されている窓開閉蓋８１を開け、図７に示される状態にする。次に、図１０に示されるように、窓開閉蓋８１が開けられた状態で壁８４ａ〜８４ｃに囲まれた内側部に水を注ぐ。注がれた水は、窓開閉蓋８１の勾配を伝わり、室内機１００の内部へ流入する。室内機１００の内部に流入した水は、水注入窓８０の枠の室内機１００内部側に延びた縁６８上を伝わり、室内機１００の前面側に配置されている熱交換器１３ａの上部に滴下される。熱交換器１３ａの上部に滴下された水は、熱交換器１３ａのフィン１１を水の表面張力により伝わってドレンパン５１ａに滴下する。ドレンパン５１ａに溜まった水は、室内機１００が正常に据え付けられていればドレンパン５１につけられている勾配に従い排水管へ流入し、室内機１００の外部へ流出する。しかし、室内機１００の設置した角度が正常の範囲内でない場合は、ドレンパン５１の勾配が排水管側に向かって下り勾配になるように、室内機１００の傾きを調整する。
【００３５】
（効果）
実施の形態１に係る空気調和機の室内機１００は、上面に吸入口３４が設けられ、下部に吹出口４０〜４２が設けられ、内部に風路が形成され、背面側が室内壁面に固定されるケーシングと、風路に設けられた軸流ファン３１と、風路において軸流ファン３１の下流に設けられた室内熱交換器１０と、室内熱交換器１０の下端を下側から覆うドレンパン５１とを備える。風路は、風路のケーシング前面側を構成する前面風路パネルを備える。前面風路パネルは、室内熱交換器１０より上流に水注入窓８０が開口されている。なお、ケーシングは、前面パネル６０、台枠２０、左側面パネル６６、及び右側面パネル６７を組み合わせて構成されるものである。このように構成することにより、実施の形態１における室内機１００は、前面側にある風路壁６５を外して内部の室内熱交換器１０を露出させることなくドレンパン５１に溜まった水が排出可能かどうかを容易に確認することができる。実施の形態１の空気調和機の室内機１００は、室内熱交換器１０の上流側に軸流ファン３１が設置されているため、軸流ファン３１を通る空気が室内熱交換器１０に入り、かつ熱交換後の空気が風路から漏出せずに吹出口４０〜４２から出るように、例えば内部の風路がシールされている。よって、室内機１００は、室内機１００の設置時に風路壁６５を簡単に外して内部の室内熱交換器１０及びドレンパン５１を露出させてからドレンパン５１に溜まった水の排出確認を実施できるような構成にはなっていない。しかし、実施の形態１のように室内機１００を構成することにより、容易にドレンパン５１の水の排出確認が実現できる。
【００３６】
実施の形態１に係る空気調和機の室内機１００において、室内熱交換器１０は、ケーシング左右方向に重ねられた複数のフィン１１と、フィン１１を貫通する伝熱管１２を有する少なくとも１つ以上の熱交換器１３を備える。風路内においてケーシングの前面側に配置されている前側熱交換器１３ａは、ケーシングの前面側から背面側へ向かい下がる方向に傾斜して配置され、水注入窓８０は、前側熱交換器１３ａの上側端部より上側に配置されている。このように構成されることにより、実施の形態１の空気調和機の室内機１００は、熱交換器１３が、例えばＷ形又はＶ形に並べられたとしても、容易にドレンパン５１の水の排出確認が実現でき、また、室内機１００も上下方向の寸法を小さくすることが可能となる。
【００３７】
実施の形態１に係る空気調和機の室内機１００において、軸流ファン３１は、ケーシング上部に配置され、水注入窓８０は、ケーシングの上下方向における位置が軸流ファン３１と並列になるように配置され、かつケーシングの上面側からみて軸流ファン３１と重ならない位置に配置される。このように構成されることにより、実施の形態１の空気調和機の室内機１００は、ファンユニット３０と室内熱交換器１０との間を短くすることができる。ファンユニット３０と室内熱交換器１０との間に水注入窓８０を設置するスペースを確保する必要が無いからである。この構成により、室内機１００の上下方向の寸法を小さくすることが可能となる。
【００３８】
実施の形態１に係る空気調和機の室内機１００において、水注入窓８０は、開口部下側の縁６８がケーシングの内部に突出し、縁６８の先端は、室内熱交換器１０の上側に配置されている。このように構成されることにより、縁６８は、ケーシング内部に注入した水を熱交換器１３ａの前側端部の上に導くガイドとなる。実施の形態１の空気調和機の室内機１００は、注入された排水確認用の水が熱交換器１３ａの上部に確実に導かれ、ドレンパン５１の水の排出確認を確実に実行することができる。また、窓開閉蓋８１が小さい、又は窓開閉蓋を備えていなくとも、ケーシング内部に注入した水を導くことができるため、水注入窓８０を小さくすることができ、ひいては室内機１００の上下方向の寸法を小さくすることも可能となる。
【００３９】
実施の形態１に係る空気調和機の室内機１００において、水注入窓８０は、開閉可能な窓開閉蓋８１を備える。このように構成されることにより、実施の形態１の空気調和機の室内機１００は、軸流ファン３１から室内熱交換器１０へ向けて送られる空気が水注入窓８０から流出するのを抑えることができ、ひいては室内機１００の吹出口４０〜４２から吹き出される調和空気の風量を十分に確保することができる。
【００４０】
実施の形態１に係る空気調和機の室内機１００において、窓開閉蓋８１は、回転軸８２を有し、回転軸８２回りに窓開閉蓋８１が回転し開けられた状態にすることにより、窓開閉蓋８１の一方の端がケーシング前面側に突出し、窓開閉蓋８１の他方の端がケーシング内部側へ突出し、ケーシング前面からケーシング内部側に向かって下がる勾配となる。このように構成されることにより、実施の形態１の空気調和機の室内機１００は、窓開閉蓋８１を閉じたときは水注入窓８０から空気が流出するのを抑えることができる。また、設置時のドレンパン５１からの水排出確認時において、窓開閉蓋８１が前面側に突出することにより、前面側から水を注ぎ易くなっており、作業性が向上する。また、窓開閉蓋８１がケーシング側に取り付けられているため、設置時に窓開閉蓋８１を紛失することがない。
【００４１】
実施の形態１に係る空気調和機の室内機１００において、窓開閉蓋８１は、閉じた状態において、ケーシング前面側に設けられたつまみ部と、閉じた状態において、ケーシング内部側に設けられ窓開閉蓋の上側及び左右両側の３方向の縁を囲う壁と、を備える。このように構成されることにより、実施の形態１の空気調和機の室内機１００は、前面側のつまみ部を掴んで窓開閉蓋の開閉作業ができ、また、前面側から水を注ぎ易くなっているため作業性が向上する。
【００４２】
実施の形態１に係る空気調和機の室内機１００において、ケーシングの前面側は、ケーシング内部の風路を形成する風路壁６５と、風路壁６５に接し、風路と外部との断熱をする断熱材６４と、により構成される。このように構成されることにより、実施の形態１の空気調和機の室内機１００は、風路に流れる冷気によりケーシング前面側の結露を抑制することができる。
【００４３】
実施の形態１に係る空気調和機の室内機１００において、室内熱交換器１０は、ケーシングの左右方向の垂直断面において、Ｗ形状に熱交換器１３が並べられている。また、実施の形態１に係る空気調和機の室内機１００において、室内熱交換器１０は、ケーシングの左右方向の垂直断面において、Ｖ形状に熱交換器１３が並べられている。このように構成されることにより、実施の形態１の空気調和機の室内機１００は、熱交換器の形態が異なっても、容易にドレンパン５１の水の排出確認が実現できる。
【００４４】
実施の形態２．
実施の形態２は、実施の形態１に対し、室内機１００内に設置されている室内熱交換器１０の形状を変更し、風路内においてケーシング前面側に配置されている熱交換器１３ａの傾斜している方向を変更したものである。実施の形態２においては、実施の形態１に対する変更点を中心に説明する。
【００４５】
図１１は、図１の室内熱交換器１０が２つの熱交換器１３で構成され、逆Ｖ字形状に連結されている場合の図である。図１１の室内熱交換器１１０は、熱交換器１１３ａが風路内においてケーシング前側から後側に向かって上がるように傾斜して配置されている。つまり、熱交換器１１３ａのケーシング前側の端部は、軸流ファン３１から遠い位置に配置され、熱交換器１１３ａのケーシング後側の端部は、軸流ファン３１に近い位置に配置されている。熱交換器１１３が逆Ｖ字形状に並べられている下端部２箇所を下側から覆うようにドレンパン１５１ａ、１５１ｂが設けられている。実施の形態１においては、熱交換器１１３ａのケーシング前側の端部は軸流ファン３１に近い側に配置されていたため、水注入窓８０は、ファンユニット３０と同じ高さに配置されていた。しかし、実施の形態２においては、熱交換器１１３ａのケーシング前側の端部は、軸流ファン３１から遠い位置にあるため、図１１に示されるように、軸流ファン３１よりも下側でかつ室内熱交換器１１０の上流に配置することができる。ドレンパン１５１ａは、熱交換器１１３ａのケーシング前側の端部の下側に配置されている。また、水注入窓１８０が熱交換器１１３ａのケーシング前側の端部の上に配置されており、窓開閉蓋１８１から水を注入しても、水は確実に熱交換器１１３ａの上に滴下される。
【００４６】
図１２は、図１の室内熱交換器１０がＭ字形状に連結されている場合の図である。室内熱交換器２１０は、熱交換器２１３ａ〜２１３ｄが断面形状がＭ字形状になるように並べられている。熱交換器２１３がＭ字形状に並べられている下端部３箇所を下側から覆うようにドレンパン２５１ａ〜２５１ｃが設けられている。図１１の室内熱交換器１１０と同じく、図１２の室内熱交換器２１０は、熱交換器２１３ａが風路内においてケーシング前側から後側に向かって上がるように傾斜して配置されている。また、水注入窓２８０が熱交換器２１３ａのケーシング前側の端部の上に配置されており、窓開閉蓋２８１から水を注入しても、水は確実に熱交換器２１３ａの上に滴下される。
【００４７】
（効果）
実施の形態２の空気調和機の室内機１００においては、室内熱交換器１１０又は室内熱交換器２１０は、ケーシング左右方向に重ねられた複数のフィン１１と、フィン１１を貫通する伝熱管１２を有する熱交換器１１３ａ、１１３ｂ、２１３ａ〜２１３ｄを備える。風路内においてケーシングの前面側に配置されている熱交換器１１３ａ、２１３ａは、風路内において、ケーシングの前側から後側へ向かい上がる方向に傾斜して配置され、水注入窓１８０、２８０は、前側熱交換器１１３ａの下側端部より上側に配置されている。このように構成されることにより、実施の形態２の空気調和機の室内機１００は、熱交換器の形状が異なっても実施の形態１と同様の効果を得ることができる。すなわち、ドレンパン１５１及びドレンパン２５１の排水確認を容易に実施することができる。また、実施の形態１の場合と同じく、ファンユニット３０と室内熱交換器１１０、２１０との間に水注入窓１８０、２８０を設置するスペースを確保する必要が無く、ファンユニット３０と室内熱交換器１１０、２１０との間を短くすることができる。これは、実施の形態２においては、水注入窓１８０、２８０及び室内熱交換器１１０、２１０の上下方向の位置を並列に配置することが可能であるからである。この構成により、室内機１００の上下方向の寸法を小さくすることが可能となる。
【００４８】
実施の形態２の空気調和機の室内機１００においては、室内熱交換器１１０は、複数の熱交換器１１３ａ及び熱交換器１１３ｂを有し、断面形状が上下逆転したＶ形状に熱交換器１１３が並べられている。また、室内熱交換器２１０は、複数の熱交換器２１３ａ〜２１３ｄを有し、断面形状がＭ形状に熱交換器２１３が並べられている。このように構成することにより、室内熱交換器の形態が異なっても実施の形態１と同様の効果を得ることができる。
【符号の説明】
【００４９】
１０  室内熱交換器、１１  フィン、１２  伝熱管、１３  熱交換器、１３ａ  熱交換器、１３ｂ  熱交換器、１３ｃ  熱交換器、１３ｄ  熱交換器、１５  弾性部材、１６ａ  仕切板、１６ｂ  仕切板、１６ｃ  仕切板、２０  台枠、３０  ファンユニット、３１  軸流ファン、３２  プロペラ、３３  ファンモーター、３４  吸入口、３５  ベルマウス、４０  吹出口、４１  吹出口、４２  吹出口、５０  ドレンパンユニット、５１  ドレンパン、５１ａ  ドレンパン、５１ｂ  ドレンパン、６０  前面パネル、６１  意匠パネル、６２  前面風路パネル、６３  内部パネル、６４  断熱材、６５  風路壁、６６  左側面パネル、６７  右側面パネル、６８  縁、６９  突起、７０  電気部品箱、８０  水注入窓、８１  窓開閉蓋、８２  回転軸、８３  突起、８４  壁、８４ａ  壁、８４ｂ  壁、８４ｃ  壁、８５  爪、８６  つまみ部、９０  工具、１００  室内機、１１０  室内熱交換器、１１３  熱交換器、１１３ａ  熱交換器、１１３ｂ  熱交換器、１５１  ドレンパン、１５１ａ  ドレンパン、１５１ｂ  ドレンパン、１８０  水注入窓、１８１  窓開閉蓋、２１０  熱交換器、２１３  熱交換器、２１３ａ  熱交換器、２１３ｂ  熱交換器、２１３ｃ  熱交換器、２１３ｄ  熱交換器、２５１  ドレンパン、２５１ａ  ドレンパン、２５１ｂ  ドレンパン、２５１ｃ  ドレンパン、２８０  水注入窓、２８１  窓開閉蓋。
【図１】
2017026012.tif 000003
【図２】
2017026012.tif 000004
【図３】
2017026012.tif 000005
【図４】
2017026012.tif 000006
【図５】
2017026012.tif 000007
【図６】
2017026012.tif 000008
【図７】
2017026012.tif 000009
【図８】
2017026012.tif 000010
【図９】
2017026012.tif 000011
【図１０】
2017026012.tif 000012
【図１１】
2017026012.tif 000013
【図１２】
2017026012.tif 000014
【国際調査報告】
2017026012.tif 000015
2017026012.tif 000016
2017026012.tif 000017
2017026012.tif 000018